(57)【要約】【課題】本発明は、従来の垂直釜を備えるミシンに装着してタフト刺繍を作成可能にすることに関する。【解決手段】  駆動軸１で基台２に取付けの主駆動軸１１を回転し、この主駆動軸１１の回転によって、カムローラ２３に従ってメスホルダ１９とメス２０は揺動し、カムローラ２３ａに従って、ルーパーレバー１０が揺動し、ルーパーリンク９を介してルーパーホルダ８、ルーパー１３及びシタハリウケ２６が揺動される。そして、針５５の昇降及びメス２０による糸５０の切断によって、布地に植毛される。【選択図】図１
2009074222.tif 000002
【特許請求の範囲】
【請求項１】
垂直釜を備える刺繍ミシン、工業用ミシン及び家庭用ミシンの駆動軸に連結して使用するタフト刺繍ミシン用部品のユニットであって、
前記駆動軸で基台に取付けの主駆動軸を回転し、
この主駆動軸にはメスカムとルーパーカムが取り付けられていると共に、回動可能にルーパーホルダが取り付けてあり、
前記ルーパーホルダにはメスホルダが取り付けられていて、このメスホルダには前記メスカムのカムによって揺動可能なメスが取り付けられ、
前記ルーパーカムのカムによって揺動するルーパーレバーがルーパーレバー軸に回動可能に取り付けられ、
前記ルーパーレバーと前記ルーパーホルダをルーパーリンクで連結し、前記ルーパーホルダにルーパーと針受け体が取り付けらているタフト刺繍ミシン用部品のユニット。
【請求項２】
ルーパーレバーとルーパーリンクを連結するピンを偏心ピンにする請求項１のタフト刺繍ミシン用部品のユニット。
【発明の詳細な説明】
【技術分野】
【０００１】  本願は、従来の垂直釜を備える縫製ミシンに、タフト刺繍ミシン用部品のユニットを装着してタフト刺繍を作成可能にすることに関する。
【背景技術】
【０００２】  従来、よく知られた垂直釜を備えるミシンについて、図６を参照して説明する。
ミシン本体１００は、ベッド部１０２と、ベッド部１０２の右端部から上方へ延びる脚柱部１０３と、脚柱部１０３から左方へ延びるアーム部１０４と、アーム部１０４の左端部に位置するヘッド部１０５とから構成されたものであり、ヘッド部１０５には針棒１０６が装着されている。
そして、ミシン本体１００内にはミシンモータ（図示略）が配設されており、ミシンモータが作動すると、ミシンモータの回転力が上軸を介して針棒１０６に伝達され、針棒１０６と一体的に縫い針１０６ａが上下運動する。【０００３】  又、ベッド部１０２内にはフレーム１０８が配設されていて、このフレーム１０８には、外釜と内釜で構成の垂直釜１０９の釜軸１０９ａが回転可能に取付けられており、この垂直釜１０９内にはボビンが、着脱可能に収容されている。
そして、ベッド部１０２内には駆動ベルトが収容されており、ミシンモータが作動すると、ミシンモータの回転力が駆動ベルトを通して釜軸１０９ａに伝達され、縫い針１０６ａの上下動に同期して垂直釜１０９が釜軸１０９ａを中心に垂直方向へ回転し、前記釜軸１０９ａの回転に従って、ストックボビン１０７からの上糸のループの間に下糸を通す。
尚、この直線縫製ミシンは、よく知られ機構であるの文献を列挙しない。
【発明の開示】
【発明が解決しようとする課題】
【０００４】  前記垂直釜を備えるミシンは多数販売されている。しかし、タフト刺繍を行うためには、新たにタフト刺繍ミシンを購入しなければならない。
そこで、本願発明は、垂直釜を備える刺繍ミシン、工業用ミシン及び家庭用ミシンを有効利用するために、そのミシンの駆動軸にタフト刺繍ミシン用部品のユニットを装着することによって、タフト刺繍ミシンとして使用可能にするものである。
【課題を解決するための手段】
【０００５】  請求項１のタフト刺繍ミシン用部品のユニットは、垂直釜を備える刺繍ミシン、工業用ミシン及び家庭用ミシンの駆動軸１を利用して使用するものである。
前記駆動軸１によって、基台２に取付けの主駆動軸１１を回転し、この主駆動軸１１にはメスカム２１とルーパーカム１４が取り付けられていると共に、回動可能にルーパーホルダ８が取り付けてある。又、前記ルーパーホルダ８にはメスホルダ１９が取り付けられていて、このメスホルダ１９には前記メスカム２１に取り付けられているカム（カム溝）に誘導されて、揺動可能なメス２０が取り付けられている。
又、前記ルーパーカム１４に取り付けられているカム（カム溝）に誘導されて、揺動するルーパーレバー１０がルーパーレバー軸１２に回動可能に取り付けられている。また、前記ルーパーレバー１０と前記ルーパーホルダ８はルーパーリンク９で連結され、前記前記ルーパーホルダ８にルーパー１３と針受け体２６が取り付けらている。【０００６】  このタフト刺繍ミシン用部品のユニットは、既設ミシンの駆動軸１で主駆動軸１１を回転する。そして、この主駆動軸１１にはメスカム２１とルーパーカム１４が取り付けられていて、メスカム２１のカムを介してメス２０が揺動し、ルーパーカム１４のカムを介してルーパー１３と針受け体２６が揺動する。
そして、図５（Ａ〜Ｃ）に示すように、針５５の位置によって、前記メス２０とルーパー１３及び針受け体２６は、揺動位置が決められ、糸５０がＵ字状を形成したときルーパー１３を挿通し、針５５が最上位置のとき、ルーパー１３とメス２０とで糸５０を切断することによって、布地に対して逆Ｕ字状の植毛が得られる。【０００７】  請求項２のタフト刺繍ミシン用部品のユニットは、ルーパーレバー１０とルーパーリンク９を連結する左ピン１５、又は右ピン１６を偏心ピンで連結する。
この偏心ピン（左ピン１５、又は右ピン１６）によって、ルーパーホルダ８とルーパー１３が揺動開始をする位置を変更することができる。そのため、糸５０が形成するＵ字状の大きさを変更することができ、植毛する長さを調整することができる。
【発明の効果】
【０００８】  請求項１のタフト刺繍ミシン用部品のユニットは、垂直釜を備える刺繍ミシン、工業用ミシン及び家庭用ミシンの駆動軸に連結して使用するものであり、容易にタフト刺繍ミシンとなるので経済性に富む。
又、請求項２のタフト刺繍ミシン用部品のユニットは、ルーパーレバーとルーパーリンクを連結するピンを偏心ピンで連結することによって、ルーパーの揺動を開始する位置を変更でき、糸が形成するＵ字状の大きさを変更して、植毛長さを調整することができる。
【発明を実施するための最良の形態】
【０００９】  本願発明のタフト刺繍ミシン用部品のユニットについて図面を参照して説明する。
図１はフレームに取り付けた状態のユニットの正面図、図２はフレームに取り付けた状態のユニットの平面図である。又、図３は構成部品図を示す。
このタフト刺繍ミシン用部品のユニットは、垂直釜を備える刺繍ミシン、工業用ミシン及び家庭用ミシンの駆動軸１を利用して使用するものである。
この駆動軸１は、図示略のモータからの駆動によって回転し、その駆動軸１には小平歯車３が嵌挿してネジで固定される。尚、ミシンアーム部８０内には前記駆動軸１が内装されていて、後述する基台２と接合する装着本体８０ａが下に設けられている。【００１０】  又、前記基台２には、前後一対の軸受４ａ、４ｂが設けられていると共に、前記装着本体８０ａに装着して固定する凸装着体４ｃが前軸受４ａの前方に設けられている。又、前記前軸受４ａと後軸受４ｂの間には、前メタル１７ａと後メタル１７ｂが装着された主駆動軸１１が取り付けられている。
また、前記主駆動軸１１には、前記小平歯車３と歯合する大平歯車５、メスカム２１、ルーパーホルダ８、ルーパーカム１４が順次挿通されている。そして、大平歯車５、メスカム２１、ルーパーカム１４は主駆動軸１１に固定されているが、ルーパーホルダ８は回動及び左右運動が可能になっている。
尚、前記前記小平歯車３と大平歯車５によって、主駆動軸１１の回転速度が選定されている。又、主駆動軸１１を駆動軸１によって回転させる伝達手段は、前記の歯車による方法の他に、ベルト等による方法であってもよい。【００１１】  前記メスカム２１の内側には、カム２１ａが取り付けられていて、カム溝２１ｂが形成されている。前記ルーパーホルダ８の右端部には、Ｌ字状のメスホルダ１９がメスホルダ軸２２を介して回動可能に取り付けられている。また、このメスホルダ１９の端部にはカムローラ軸２４を介してカムローラ２３が取り付けられていて、このカムローラ２３は前記カム溝２１ｂで誘導される。又、メスホルダ１９の他端部には、メス２０が取り付けられている。
従って、前記メス２０は、カム溝２１ｂ内を誘導されるカムローラ２３によって、回動可能なメスホルダ軸２２を機軸として揺動される。【００１２】  前記ルーパーホルダ８の中間部には、ルーパー１３と針受け体２６がルーパーホルダ８に取り付けられている。又、前記ルーパーホルダ８の左端部には、右ピン１６を介してルーパーリンク９が取り付けられている。
尚、前記針受け体２６は、針（図示略）が降下したとき、その針がルーパー１３に対して、図１において、左面側になるように設けてある。
また、前記ルーパー１３の一部には、前記メス２０とで糸を切断する刃が形成してある。【００１３】  前記基台２の左端部には、左軸受２ｃ、２ｄが設けられていて、ルーパーレバー軸１２が取り付けられていて、このルーパーレバー軸１２にルーパーレバー１０が回動可能に取り付けられている。
尚、このルーパーレバー１０の突起部１０ａには、カムローラ軸２４ａによってカムローラ２３ａが取り付けられていて、ルーパーカム１４内に取り付けられているカム（図示略）によって形成のカム溝に誘導されるカムローラ２３ａによって、ルーパーレバー１０は揺動する。
又、前記ルーパーリンク９は、ルーパーレバー１０と左ピン１５で結合されていて、この左ピン１５は偏心ピンであり、ルーパーリンク９とルーパーホルダ８の揺動開始位置の調整ができる。このルーパー１３と針受け体２６の揺動開始位置の変更によって、糸５０のたわみ量、即ち、布地５１に植毛する糸５０の長さ（図４に示すＬ）を変更できる。
尚、前記左ピン１５を偏心ピンにすることに替えて、右ピン１６を偏心ピンで構成してもよいし、双方を偏心ピンで構成してもよい。【００１４】  次に、図４に示すように、布地５１に刺繍（植毛）を形成するタフト刺繍ミシン用部品のユニットについて説明する。
図１に示すユニットは、ミシンの駆動軸１に取り付けられるので、先ず、駆動軸１に連結の垂直釜１０９等を取り外す。
そして、ユニットの凸装着体４ｃをミシンアーム部８０に設けられている装着本体８０ａに接合すると共に、駆動軸１に小平歯車３を取り付けることによって、ユニット内の主駆動軸１１は回転可能に連結される。【００１５】  前記駆動軸１の回転は主駆動軸１１を回転し、この主駆動軸１１の回転によって、カムローラ２３はカム溝２１ａで誘導されて、メスホルダ１９とメス２０は揺動する。
又、前記主駆動軸１１が回転すると、カムローラ２３ａはルーパーカム１４内に形成のカム溝（図示略）に誘導されて、ルーパーレバー１０が揺動し、ルーパーリンク９を介してルーパーホルダ８、ルーパー１３及び針受け体２６が揺動される。【００１６】  前記のように揺動するメス２０とルーパー１３はカムによって、針５５は従来にミシンの構造によって作動し、前記各部品は、図５（Ａ〜Ｃ）に示す動作によって、図４に示す布地５１に植毛を行う。
尚、針受け体２６の上部には、針５５を挿通する針板ピン５８が設けてあり、この上に植毛する布地５１が敷いてある。又、主駆動軸１１（上軸）の回転角は、針５５が最上位置のときを０°とする。
（１）図５（Ａ）
既に植毛された糸５０と連通の糸５０を通した針５５は、布地５１を通過して最降下点に位置する。尚、この時の主駆動軸１１の回転角は１７８°である。
（２）図５（Ｂ）
針５５が前記最降下点から上昇したとき、ルーパー１３の先端部は針板ピン５８に位置して、連通状態の糸５０で形成されたＵ字状のループに挿通するために左方向に移動すると共に、メス２０も同様に左方向に移動する。
（３）図５（Ｃ）
次に、針５５は最上点になり、主駆動軸１１（上軸）の回転角は０〜１５°である。このとき、糸５０は緊張状態にされる。そして、メス２０が右方向に揺動し、そのメス２０によって糸５０は切断される。
これによって、布地５１を通過してループになった糸５０は切断されて、図４に示すように、布地５１に逆Ｕ字状の糸５０が形成される。
次に、布地５１は所定量移動し、その後、針５５は前記図５（Ａ）に示すように、最降下位置になり、図５（Ｂ）（Ｃ）を経て植毛される。【００１７】  以上のように、図５に示す（Ａ）〜（Ｃ）の工程に従って、順次、布地５１の移動することによって、糸５０は逆Ｕ字状に植毛される。そして、植毛された糸５０の長さを一定の長さに切り揃えれば、タフト刺繍された布地を得る。
尚、本願の発明において、前記ルーパー１３の一部には、前記メス２０とで糸を切断する刃が形成してあるが、糸５０を切断する部品であるルーパー１３の一部に形成の刃とメス２０を備えない状態で、本願のタフト刺繍ミシン用部品のユニットを使用することもでき、この場合には、切断されないループ状の刺繍が形成できる。
【図面の簡単な説明】
【００１８】
【図１】フレームに取り付けた状態のユニットの正面図である。
【図２】フレームに取り付けた状態のユニットの平面図である。
【図３】ユニットの構成部品図を示す。
【図４】刺繍のタフト状態を示す図である。
【図５】刺繍のためにユニットのタフト工程を説明する図である。
【図６】従来の垂直釜を備えるミシンの概念図である。
【符号の説明】
【００１９】  １  駆動軸
２  基台
８  ルーパーホルダ
９  ルーパーリンク
１０  ルーパーレバー
１１  主駆動軸
１３  ルーパー
１４  ルーパーカム
１５  左ピン
１６  右ピン
１９  メスホルダ
２０  メス
２１  メスカム
２６  針受け体
【図１】
2009074222.tif 000003
【図２】
2009074222.tif 000004
【図３】
2009074222.tif 000005
【図４】
2009074222.tif 000006
【図５】
2009074222.tif 000007
【図６】
2009074222.tif 000008